(57)【要約】  ワイヤレス通信のための方法、装置、およびコンピュータプログラムが提供される。装置は、ダウンリンクリソースを介して基地局からダウンリンクデータを受信し、アップリンクリソースを介してダウンリンクデータをユーザ機器(UE)に送信し、アップリンクリソースを介してUEからアップリンクデータを受信し、アップリンクリソースを介してアップリンクデータを基地局に送信する。装置はまた、観測されたダウンリンク信号対干渉雑音比(SINR)または観測されたアップリンク干渉のうちの少なくとも1つを判断する。装置は、次いで、観測されたダウンリンクSINRが第1のしきい値よりも大きいこと、またはリレー局におけるアップリンク干渉が第2のしきい値よりも小さいことのうちの少なくとも1つの判断に基づいて、リレー局利用可能性をブロードキャストする。
2016500225.tif 000002
【特許請求の範囲】
【請求項１】
ワイヤレス通信の方法であって、
リレー局において、ダウンリンクリソースを介して基地局からダウンリンクデータを受信するステップと、
アップリンクリソースを介して前記リレー局からユーザ機器(UE)に前記ダウンリンクデータを送信するステップと
を含む方法。
【請求項２】
前記リレー局において、前記アップリンクリソースを介して前記UEからアップリンクデータを受信するステップと、
前記アップリンクリソースを介して前記リレー局から前記基地局に前記アップリンクデータを送信するステップと
をさらに含む、請求項1に記載の方法。
【請求項３】
前記リレー局によって観測されたダウンリンク信号対干渉雑音比(SINR)または前記リレー局におけるアップリンク干渉のうちの少なくとも1つを判断するステップと、
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストするステップと
をさらに含む、請求項1に記載の方法。
【請求項４】
ワイヤレス通信の方法であって、
ユーザ機器(UE)において、アップリンクリソースを介してリレー局からダウンリンクデータを受信するステップと、
前記アップリンクリソースを介してアップリンクデータを前記リレー局に送信するステップと
を含む方法。
【請求項５】
前記リレー局によって観測された少なくとも1つのダウンリンク信号対干渉雑音比(SINR)の表示を受信するステップと、
前記UEによって観測された少なくとも1つのダウンリンクSINRを判断するステップと、
前記リレー局によって観測された前記ダウンリンクSINRと前記UEによって観測された前記ダウンリンクSINRの比率に基づいて、通信用の前記リレー局を選択するステップと
をさらに含む、請求項4に記載の方法。
【請求項６】
前記リレー局によって観測されたアップリンク干渉の表示を受信するステップと、
前記受信した表示に基づいて、前記UEと前記リレー局との間の経路損失を判断するステップと、
前記UEによって観測されたアップリンク干渉を判断するステップと、
前記経路損失と前記リレー局によって観測された前記アップリンク干渉とに基づいて、アクセスリンクアップリンクレートを判断するステップと、
前記経路損失と前記UEによって観測された前記アップリンク干渉とに基づいて、アクセスリンクダウンリンクレートを判断するステップと、
前記アクセスリンクアップリンクレートまたは前記アクセスリンクダウンリンクレートのうちの少なくとも1つに基づいて、通信用の前記リレー局を選択するステップと
をさらに含む、請求項4に記載の方法。
【請求項７】
前記アクセスリンクアップリンクレートが、前記経路損失と前記リレー局によって観測された前記アップリンク干渉の積に基づいて判断される、請求項6に記載の方法。
【請求項８】
前記アクセスリンクダウンリンクレートが、前記経路損失と前記UEによって観測された前記アップリンク干渉の積に基づいて判断される、請求項6に記載の方法。
【請求項９】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項6に記載の方法。
【請求項１０】
ワイヤレス通信のための装置であって、
リレー局において、ダウンリンクリソースを介して基地局からダウンリンクデータを受信するための手段と、
アップリンクリソースを介して前記リレー局からユーザ機器(UE)に前記ダウンリンクデータを送信するための手段と
を備える装置。
【請求項１１】
前記リレー局において、前記アップリンクリソースを介して前記UEからアップリンクデータを受信するための手段と、
前記アップリンクリソースを介して前記リレー局から前記基地局に前記アップリンクデータを送信するための手段と
をさらに備える、請求項10に記載の装置。
【請求項１２】
前記リレー局によって観測されたダウンリンク信号対干渉雑音比(SINR)または前記リレー局におけるアップリンク干渉のうちの少なくとも1つを判断するための手段と、
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストするための手段と
をさらに備える、請求項10に記載の装置。
【請求項１３】
ワイヤレス通信のための装置であって、
ユーザ機器(UE)において、アップリンクリソースを介してリレー局からダウンリンクデータを受信するための手段と、
前記アップリンクリソースを介してアップリンクデータを前記リレー局に送信するための手段と
を備える装置。
【請求項１４】
前記リレー局によって観測された少なくとも1つのダウンリンク信号対干渉雑音比(SINR)の表示を受信するための手段と、
前記UEによって観測された少なくとも1つのダウンリンクSINRを判断するための手段と、
前記リレー局によって観測された前記ダウンリンクSINRと前記UEによって観測された前記ダウンリンクSINRの比率に基づいて、通信用の前記リレー局を選択するための手段と
をさらに備える、請求項13に記載の装置。
【請求項１５】
前記リレー局によって観測されたアップリンク干渉の表示を受信するための手段と、
前記受信した表示に基づいて、前記UEと前記リレー局との間の経路損失を判断するための手段と、
前記UEによって観測されたアップリンク干渉を判断するための手段と、
前記経路損失と前記リレー局によって観測された前記アップリンク干渉とに基づいて、アクセスリンクアップリンクレートを判断するための手段と、
前記経路損失と前記UEによって観測された前記アップリンク干渉とに基づいて、アクセスリンクダウンリンクレートを判断するための手段と、
前記アクセスリンクアップリンクレートまたは前記アクセスリンクダウンリンクレートのうちの少なくとも1つに基づいて、通信用の前記リレー局を選択するための手段と
をさらに備える、請求項13に記載の装置。
【請求項１６】
前記アクセスリンクアップリンクレートが、前記経路損失と前記リレー局によって観測された前記アップリンク干渉の積に基づいて判断される、請求項15に記載の装置。
【請求項１７】
前記アクセスリンクダウンリンクレートが、前記経路損失と前記UEによって観測された前記アップリンク干渉の積に基づいて判断される、請求項15に記載の装置。
【請求項１８】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項15に記載の装置。
【請求項１９】
ワイヤレス通信のための装置であって、
処理システムを備え、前記処理システムが、
リレー局において、ダウンリンクリソースを介して基地局からダウンリンクデータを受信すること、および
アップリンクリソースを介して前記リレー局からユーザ機器(UE)に前記ダウンリンクデータを送信すること
を行うように構成される、装置。
【請求項２０】
前記処理システムがさらに、
前記リレー局において、前記アップリンクリソースを介して前記UEからアップリンクデータを受信すること、および
前記アップリンクリソースを介して前記リレー局から前記基地局に前記アップリンクデータを送信すること
を行うように構成される、請求項19に記載の装置。
【請求項２１】
前記処理システムがさらに、
前記リレー局によって観測されたダウンリンク信号対干渉雑音比(SINR)または前記リレー局におけるアップリンク干渉のうちの少なくとも1つを判断すること、および
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストすること
を行うように構成される、請求項19に記載の装置。
【請求項２２】
ワイヤレス通信のための装置であって、
処理システムを備え、前記処理システムが、
ユーザ機器(UE)において、アップリンクリソースを介してリレー局からダウンリンクデータを受信すること、および
前記アップリンクリソースを介してアップリンクデータを前記リレー局に送信すること
を行うように構成される、装置。
【請求項２３】
前記処理システムがさらに、
前記リレー局によって観測された少なくとも1つのダウンリンク信号対干渉雑音比(SINR)の表示を受信すること、
前記UEによって観測された少なくとも1つのダウンリンクSINRを判断すること、および
前記リレー局によって観測された前記ダウンリンクSINRと前記UEによって観測された前記ダウンリンクSINRの比率に基づいて、通信用の前記リレー局を選択すること
を行うように構成される、請求項22に記載の装置。
【請求項２４】
前記処理システムがさらに、
前記リレー局によって観測されたアップリンク干渉の表示を受信すること、
前記受信した表示に基づいて、前記UEと前記リレー局との間の経路損失を判断すること、
前記UEによって観測されたアップリンク干渉を判断すること、
前記経路損失と前記リレー局によって観測された前記アップリンク干渉とに基づいて、アクセスリンクアップリンクレートを判断すること、
前記経路損失と前記UEによって観測された前記アップリンク干渉とに基づいて、アクセスリンクダウンリンクレートを判断すること、および
前記アクセスリンクアップリンクレートまたは前記アクセスリンクダウンリンクレートのうちの少なくとも1つに基づいて、通信用の前記リレー局を選択すること
を行うように構成される、請求項22に記載の装置。
【請求項２５】
前記アクセスリンクアップリンクレートが、前記経路損失と前記リレー局によって観測された前記アップリンク干渉の積に基づいて判断される、請求項24に記載の装置。
【請求項２６】
前記アクセスリンクダウンリンクレートが、前記経路損失と前記UEによって観測された前記アップリンク干渉の積に基づいて判断される、請求項24に記載の装置。
【請求項２７】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項24に記載の装置。
【請求項２８】
リレー局において、ダウンリンクリソースを介して基地局からダウンリンクデータを受信すること、および
アップリンクリソースを介して前記リレー局からユーザ機器(UE)に前記ダウンリンクデータを送信すること
を行うためのコードを備える、コンピュータプログラム。
【請求項２９】
前記リレー局において、前記アップリンクリソースを介して前記UEからアップリンクデータを受信すること、および
前記アップリンクリソースを介して前記リレー局から前記基地局に前記アップリンクデータを送信すること
を行うためのコードをさらに備える、請求項28に記載のコンピュータプログラム。
【請求項３０】
前記リレー局によって観測されたダウンリンク信号対干渉雑音比(SINR)または前記リレー局におけるアップリンク干渉のうちの少なくとも1つを判断すること、および
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストすること
を行うためのコードをさらに備える、請求項28に記載のコンピュータプログラム。
【請求項３１】
ユーザ機器(UE)において、アップリンクリソースを介してリレー局からダウンリンクデータを受信すること、および
前記アップリンクリソースを介してアップリンクデータを前記リレー局に送信すること
を行うためのコードを備える、コンピュータプログラム。
【請求項３２】
前記リレー局によって観測された少なくとも1つのダウンリンク信号対干渉雑音比(SINR)の表示を受信すること、
前記UEによって観測された少なくとも1つのダウンリンクSINRを判断すること、および
前記リレー局によって観測された前記ダウンリンクSINRと前記UEによって観測された前記ダウンリンクSINRの比率に基づいて、通信用の前記リレー局を選択すること
を行うためのコードをさらに備える、請求項31に記載のコンピュータプログラム。
【請求項３３】
前記リレー局によって観測されたアップリンク干渉の表示を受信すること、
前記受信した表示に基づいて、前記UEと前記リレー局との間の経路損失を判断すること、
前記UEによって観測されたアップリンク干渉を判断すること、
前記経路損失と前記リレー局によって観測された前記アップリンク干渉とに基づいて、アクセスリンクアップリンクレートを判断すること、
前記経路損失と前記UEによって観測された前記アップリンク干渉とに基づいて、アクセスリンクダウンリンクレートを判断すること、および
前記アクセスリンクアップリンクレートまたは前記アクセスリンクダウンリンクレートのうちの少なくとも1つに基づいて、通信用の前記リレー局を選択すること
を行うためのコードをさらに備える、請求項31に記載のコンピュータプログラム。
【請求項３４】
前記アクセスリンクアップリンクレートが、前記経路損失と前記リレー局によって観測された前記アップリンク干渉の積に基づいて判断される、請求項33に記載のコンピュータプログラム。
【請求項３５】
前記アクセスリンクダウンリンクレートが、前記経路損失と前記UEによって観測された前記アップリンク干渉の積に基づいて判断される、請求項33に記載のコンピュータプログラム。
【請求項３６】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項33に記載のコンピュータプログラム。
【発明の詳細な説明】
【技術分野】
【０００１】
本開示は、一般に、通信システムに関し、より詳細には、デバイス間(D2D)通信システムを使用するロングタームエボリューション(LTE)通信システムにおけるバンド内中継(relaying)のためのアーキテクチャに関する。
【背景技術】
【０００２】
電話、ビデオ、データ、メッセージング、およびブロードキャストなどの様々な電気通信サービスを提供するために、ワイヤレス通信システムが広範囲に展開されている。典型的なワイヤレス通信システムは、利用可能なシステムリソース(たとえば、帯域幅、送信電力)を共有することによって、複数のユーザとの通信をサポートすることが可能な多元接続技術を採用し得る。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムがある。
【０００３】
これらの多元接続技術は、異なるワイヤレスデバイスが都市、国家、地域、さらには地球規模で通信することを可能にする共通プロトコルを与えるために、様々な電気通信規格において採用されている。新生の電気通信規格の一例は、ロングタームエボリューション(LTE)である。LTEは、第3世代パートナーシッププロジェクト(3GPP)によって公表されたユニバーサルモバイル通信システム(UMTS)モバイル規格の拡張のセットである。LTEは、スペクトル効率を改善することによってモバイルブロードバンドインターネットアクセスをよりよくサポートし、コストを下げ、サービスを改善し、新しいスペクトルを利用し、また、ダウンリンク(DL)上でOFDMAを使用し、アップリンク(UL)上でSC-FDMAを使用し、多入力多出力(MIMO)アンテナ技術を使用して他のオープン規格とよりよく統合するように設計されている。しかしながら、モバイルブロードバンドアクセスに対する需要が増加し続けるにつれて、LTE技術のさらなる改善が必要である。好ましくは、これらの改善は、他の多元接続技術と、これらの技術を採用する電気通信規格とに適用可能であるべきである。
【発明の概要】
【課題を解決するための手段】
【０００４】
本開示の一態様では、方法、コンピュータプログラム製品、および装置が提供される。装置は、ダウンリンクリソースを介して基地局からダウンリンクデータを受信し、アップリンクリソースを介してダウンリンクデータをユーザ機器(UE)に送信し、アップリンクリソースを介してUEからアップリンクデータを受信し、アップリンクリソースを介してアップリンクデータを基地局に送信する。装置はまた、観測されたダウンリンク信号対干渉雑音比(SINR)または観測されたアップリンク干渉のうちの少なくとも1つを判断する。装置は、次いで、観測されたダウンリンクSINRが第1のしきい値よりも大きいこと、またはリレー局におけるアップリンク干渉が第2のしきい値よりも小さいことのうちの少なくとも1つの判断に基づいて、リレー局利用可能性をブロードキャストする。
【０００５】
別の態様では、装置は、アップリンクリソースを介してリレー局からダウンリンクデータを受信し、アップリンクリソースを介してアップリンクデータをリレー局に送信する。装置は、リレー局によって観測された少なくとも1つのダウンリンクSINRの表示を受信して、少なくとも1つの観測されたダウンリンクSINRを判断し、リレー局によって観測されたダウンリンクSINRと観測されたダウンリンクSINRの比率に基づいて、通信用のリレー局を選択することができる。装置は、リレー局によって観測されたアップリンク干渉の表示を受信して、受信した表示に基づいて、装置とリレー局との間の経路損失を判断し、観測されたアップリンク干渉を判断し、経路損失とリレー局によって観測されたアップリンク干渉の第1の積、または経路損失と観測されたアップリンク干渉の第2の積のうちの少なくとも1つに基づいて、通信用のリレー局を選択することも可能である。
【図面の簡単な説明】
【０００６】
【図１】ネットワークアーキテクチャの一例を示す図である。
【図２】アクセスネットワークの一例を示す図である。
【図３】LTEにおけるDLフレーム構造の一例を示す図である。
【図４】LTEにおけるULフレーム構造の一例を示す図である。
【図５】ユーザプレーンおよび制御プレーンのための無線プロトコルアーキテクチャの一例を示す図である。
【図６】アクセスネットワーク中の発展型ノードBおよびユーザ機器の一例を示す図である。
【図７】異種ネットワークにおける範囲拡大セルラー領域を示す図である。
【図８】例示的なデバイス間(D2D)通信システムの図である。
【図９】通信システムにおける例示的な中継を示す図である。
【図１０】ワイヤレス通信の方法のフローチャートである。
【図１１】ワイヤレス通信の方法のフローチャートである。
【図１２】例示的な装置における異なるモジュール/手段/構成要素間のデータフローを示す概念的なデータフロー図である。
【図１３】例示的な装置中の異なるモジュール/手段/構成要素間のデータフローを示す概念データフロー図である。
【図１４】処理システムを採用する装置のためのハードウェア実装の一例を示す図である。
【図１５】処理システムを採用する装置のためのハードウェア実装の一例を示す図である。
【発明を実施するための形態】
【０００７】
添付の図面に関して以下に記載する発明を実施するための形態は、様々な構成の説明として意図されており、本明細書で説明される概念が実行され得る唯一の構成を表すように意図されているわけではない。発明を実施するための形態は、様々な概念の完全な理解をもたらす目的で、具体的な詳細を含んでいる。しかしながら、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【０００８】
次に、様々な装置および方法を参照して、電気通信システムのいくつかの態様を提示する。これらの装置および方法について、以下の発明を実施するための形態において説明し、様々なブロック、モジュール、構成要素、回路、ステップ、プロセス、アルゴリズムなど(「要素」と総称される)によって添付の図面に示す。これらの要素は、電子ハードウェア、コンピュータソフトウェア、またはそれらの任意の組合せを使用して実装することができる。そのような要素をハードウェアとして実装するか、ソフトウェアとして実装するかは、特定の適用例およびシステム全体に課される設計制約に依存する。
【０００９】
例として、要素または要素の任意の部分または要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１０】
したがって、1つまたは複数の例示的な実施形態では、説明する機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、あるいは符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令もしくはデータ構造の形態の所望のプログラムコードを搬送もしくは記憶するために使用でき、コンピュータによってアクセスできる、任意の他の媒体を含み得る。本明細書で使用する場合、ディスク(disk)およびディスク(disc)は、コンパクトディスク(CD)、レーザーディスク(登録商標)、光ディスク、デジタル多用途ディスク(DVD)、およびフロッピー(登録商標)ディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００１１】
図1は、LTEネットワークアーキテクチャ100を示す図である。LTEネットワークアーキテクチャ100は、発展型パケットシステム(EPS)100と呼ばれることがある。EPS100は、1つまたは複数のユーザ機器(UE)102と、発展型UMTS地上波無線アクセスネットワーク(E-UTRAN)104と、発展型パケットコア(EPC)110と、ホーム加入者サーバ(HSS)120と、事業者のIPサービス122とを含み得る。EPSは、他のアクセスネットワークと相互接続することができるが、簡単のために、それらのエンティティ/インターフェースは図示していない。図示のように、EPSはパケット交換サービスを提供するが、当業者なら容易に諒解するように、本開示全体にわたって提示する様々な概念は、回線交換サービスを提供するネットワークに拡張され得る。
【００１２】
E-UTRANは、進化型ノードB(eNB)106と他のeNB108とを含む。eNB106は、UE102に対してユーザプレーンプロトコル終端と制御プレーンプロトコル終端とを与える。eNB106は、バックホール(たとえば、X2インターフェース)を介して他のeNB108に接続され得る。eNB106は、基地局、トランシーバ基地局、無線基地局、無線トランシーバ、トランシーバ機能、基本サービスセット(BSS)、拡張サービスセット(ESS)、または何らかの他の好適な用語で呼ばれることもある。eNB106は、UE102にEPC110へのアクセスポイントを与える。UE102の例には、携帯電話、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲーム機、または任意の他の類似の機能デバイスがある。UE102はまた、当業者によって、移動局、加入者局、モバイルユニット、加入者ユニット、ワイヤレスユニット、リモートユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語で呼ばれることもある。
【００１３】
eNB106は、S1インターフェースによってEPC110に接続される。EPC110は、モビリティ管理エンティティ(MME)112と、他のMME114と、サービングゲートウェイ116と、パケットデータネットワーク(PDN)ゲートウェイ118とを含む。MME112は、UE102とEPC110との間のシグナリングを処理する制御ノードである。概して、MME112は、ベアラおよび接続管理を行う。すべてのユーザIPパケットは、サービングゲートウェイ116を通して転送され、サービングゲートウェイ116自体は、PDNゲートウェイ118に接続される。PDNゲートウェイ118は、UEのIPアドレス割振りならびに他の機能を与える。PDNゲートウェイ118は、事業者のIPサービス122に接続される。事業者のIPサービス122は、インターネットと、イントラネットと、IPマルチメディアサブシステム(IMS)と、PSストリーミングサービス(PSS)とを含み得る。
【００１４】
図2は、LTEアクセスネットワークアーキテクチャにおけるアクセスネットワーク200の一例を示す図である。この例では、アクセスネットワーク200は、いくつかのセルラー領域(セル)202に分割される。1つまたは複数のより低い電力クラスのeNB208は、セル202のうちの1つまたは複数と重複するセルラー領域210を有し得る。より低い電力クラスのeNB208は、フェムトセル(たとえば、ホームeNB(HeNB))、ピコセル、マイクロセル、またはリモートラジオヘッド(RRH)であり得る。マクロeNB204は各々、それぞれのセル202に割り当てられ、セル202中のすべてのUE206にEPC110へのアクセスポイントを与えるように構成される。アクセスネットワーク200のこの例では集中コントローラはないが、代替構成では集中コントローラが使用され得る。eNB204は、無線ベアラ制御、承認制御、モビリティ制御、スケジューリング、セキュリティ、およびサービングゲートウェイ116への接続性を含む、すべての無線関係機能を担う。
【００１５】
アクセスネットワーク200によって採用される変調方式および多元接続方式は、展開されている特定の電気通信規格に応じて異なり得る。LTE適用例では、周波数分割複信(FDD)と時分割複信(TDD)の両方をサポートするために、OFDMがDL上で使用され、SC-FDMAがUL上で使用される。当業者なら以下の発明を実施するための形態から容易に諒解するように、本明細書で提示する様々な概念は、LTE適用例に好適である。ただし、これらの概念は、他の変調技法および多元接続技法を採用する他の電気通信規格に容易に拡張され得る。例として、これらの概念は、エボリューションデータオプティマイズド(EV-DO:Evolution-Data Optimized)またはウルトラモバイルブロードバンド(UMB:Ultra Mobile Broadband)に拡張され得る。EV-DOおよびUMBは、CDMA2000規格ファミリーの一部として第3世代パートナーシッププロジェクト2(3GPP2)によって公表されたエアインターフェース規格であり、CDMAを採用して移動局にブロードバンドインターネットアクセスを提供する。これらの概念はまた、広帯域CDMA(W-CDMA)およびTD-SCDMAなどのCDMAの他の変形態を採用するUniversal Terrestrial Radio Access(UTRA)、TDMAを採用するGlobal System for Mobile Communications(GSM(登録商標))、ならびにOFDMAを採用するEvolved UTRA(E-UTRA)、IEEE 802.11(Wi-Fi)、IEEE 802.16(WiMAX)、IEEE 802.20、およびFlash-OFDMに拡張され得る。UTRA、E-UTRA、UMTS、LTE、およびGSM(登録商標)は、3GPP団体による文書に記述されている。CDMA2000およびUMBは、3GPP2団体による文書に記述されている。実際の採用されるワイヤレス通信規格、多元接続技術は、特定の適用例およびシステム全体に課される設計制約に依存する。
【００１６】
eNB204は、MIMO技術をサポートする複数のアンテナを有し得る。MIMO技術の使用により、eNB204は空間領域を活用して、空間多重化、ビームフォーミング、および送信ダイバーシティをサポートすることができる。空間多重化は、同じ周波数で同時に様々なデータストリームを送信するために使用され得る。データストリームは、データレートを上げるために単一のUE206に送信されてよく、または全体的なシステム容量を拡大するために複数のUE206に送信されてもよい。これは、各データストリームを空間的にプリコーディングし(すなわち、振幅および位相のスケーリングを適用し)、次いでDL上で複数の送信アンテナを通じて空間的にプリコーディングされた各ストリームを送信することによって達成される。空間的にプリコーディングされたデータストリームは、様々な空間シグネチャを伴いUE206に到着し、これにより、UE206の各々は、当該UE206に向けられた1つまたは複数のデータストリームを回復することが可能になる。UL上で、各UE206は、空間的にプリコーディングされたデータストリームを送信し、これにより、eNB204は、空間的にプリコーディングされた各データストリームのソースを識別することが可能になる。
【００１７】
空間多重化は、概して、チャネル状態が良好であるときに使用される。チャネル状態がさほど好ましくないときは、ビームフォーミングを使用して、送信エネルギーを1つまたは複数の方向に集中させることができる。これは、複数のアンテナを通して送信するためのデータを空間的にプリコーディングすることによって達成され得る。セルの端において良好なカバレージを達成するために、シングルストリームビームフォーミング送信を送信ダイバーシティと組み合わせて使用できる。
【００１８】
以下の発明を実施するための形態では、DL上でOFDMをサポートするMIMOシステムを参照しながら、アクセスネットワークの様々な態様について説明する。OFDMは、OFDMシンボル内のいくつかのサブキャリアを介してデータを変調するスペクトル拡散技法である。サブキャリアは、正確な周波数で離間する。離間は、受信機がサブキャリアからのデータを回復することを可能にする「直交性」をもたらす。時間領域では、OFDMシンボル間干渉をなくすために、ガードインターバル(たとえば、サイクリックプレフィックス)が各OFDMシンボルに追加され得る。ULは、高いピーク対平均電力比(PAPR)を補償するために、SC-FDMAをDFT拡散OFDM信号の形態で使用し得る。
【００１９】
図3は、LTEにおけるDLフレーム構造の一例を示す図300である。フレーム(10ms)は、等しいサイズの10個のサブフレームに分割され得る。各サブフレームは、2つの連続する時間スロットを含み得る。2つの時間スロットを表すためにリソースグリッドが使用され得、各時間スロットはリソースブロックを含む。リソースグリッドは、複数のリソース要素に分割される。LTEでは、リソースブロックは、周波数領域中に12個の連続サブキャリアを含んでおり、各OFDMシンボル中のノーマルサイクリックプレフィックスについて、時間領域中に7個の連続OFDMシンボル、または84個のリソース要素を含んでいる。拡張サイクリックプレフィックスについて、リソースブロックは、時間領域中に6個の連続OFDMシンボルを含んでおり、72個のリソース要素を有する。R302、304として示されるリソース要素のいくつかは、DL基準信号(DL-RS)を含む。DL-RSは、(共通RSと呼ばれることもある)セル固有RS(CRS)302と、UE固有RS(UE-RS)304とを含む。UE-RS304は、対応する物理DL共有チャネル(PDSCH)がマッピングされるリソースブロック上でのみ送信される。各リソース要素によって搬送されるビット数は、変調方式に依存する。したがって、UEが受信するリソースブロックが多いほど、また変調方式が高いほど、UEのデータレートは高くなる。
【００２０】
図4は、LTEにおけるULフレーム構造の一例を示す図400である。ULのために利用可能なリソースブロックは、データセクションと制御セクションとに区分され得る。制御セクションは、システム帯域幅の2つの端部に形成されてよく、構成可能なサイズを有し得る。制御セクションのリソースブロックは、制御情報の送信のためにUEに割り当てられ得る。データセクションは、制御セクションに含まれないすべてのリソースブロックを含み得る。ULフレーム構造により、連続するサブキャリアを含むデータセクションが得られ、これにより、単一のUEが、データセクション中の連続するサブキャリアのすべてを割り当てられるようになり得る。
【００２１】
UEは、eNBに制御情報を送信するために、制御セクション中のリソースブロック410a、410bを割り当てられ得る。UEはまた、eNBにデータを送信するために、データセクション中のリソースブロック420a、420bを割り当てられ得る。UEは、制御セクション中の割り当てられたリソースブロック上の物理UL制御チャネル(PUCCH)中で、制御情報を送信し得る。UEは、データセクション中の割り当てられたリソースブロック上の物理UL共有チャネル(PUSCH)中で、データのみまたはデータと制御情報の両方を送信し得る。UL送信は、サブフレームの両方のスロットにわたり得、周波数上でホッピングし得る。
【００２２】
初期システムアクセスを実行し、物理ランダムアクセスチャネル(PRACH)430中でUL同期を達成するために、リソースブロックのセットが使用され得る。PRACH430は、ランダムシーケンスを搬送し、いかなるULデータ/シグナリングも搬送することができない。各ランダムアクセスプリアンブルは、6個の連続するリソースブロックに対応する帯域幅を占有する。開始周波数は、ネットワークによって指定される。すなわち、ランダムアクセスプリアンブルの送信は、ある時間リソースおよび周波数リソースに制限される。周波数ホッピングは、PRACHにはない。PRACH試行は、単一のサブフレーム(1ms)中で、または少数の連続サブフレームのシーケンス中で搬送され、UEは、フレーム(10ms)ごとに単一のPRACH試行のみを行うことができる。
【００２３】
図5は、LTEにおけるユーザプレーンおよび制御プレーンのための無線プロトコルアーキテクチャの一例を示す図500である。UEおよびeNBのための無線プロトコルアーキテクチャは、層1、層2、および層3という3つの層で示されている。層1(L1層)は最下層であり、様々な物理層の信号処理機能を実装する。L1層は、本明細書では物理層506と呼ばれる。層2(L2層)508は、物理層506の上にあり、物理層506を介したUEとeNBとの間のリンクを担う。
【００２４】
ユーザプレーンでは、L2層508は、媒体アクセス制御(MAC)サブレイヤ510と、無線リンク制御(RLC)サブレイヤ512と、パケットデータコンバージェンスプロトコル(PDCP)サブレイヤ514とを含み、これらはネットワーク側のeNBで終端する。示されないが、UEは、ネットワーク側のPDNゲートウェイ118で終端するネットワーク層(たとえばIP層)と、接続の他端(たとえば、遠端のUE、サーバなど)で終端するアプリケーション層とを含めて、L2層508より上にいくつかの上位層を有し得る。
【００２５】
PDCPサブレイヤ514は、異なる無線ベアラと論理チャネルとの間の多重化を行う。PDCPサブレイヤ514はまた、無線送信のオーバーヘッドを低減するための上位層データパケットのヘッダ圧縮、データパケットの暗号化によるセキュリティ、および、eNB間のUEのハンドオーバのサポートを行う。RLCサブレイヤ512は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ510は、論理チャネルとトランスポートチャネルとの間の多重化を行う。MACサブレイヤ510はまた、複数のUEの間における、1つのセルの中の様々な無線リソース(たとえばリソースブロック)の割振りを担う。MACサブレイヤ510はまた、HARQ動作も担う。
【００２６】
制御プレーンでは、UEおよびeNBのための無線プロトコルアーキテクチャは、制御プレーンのためのヘッダ圧縮機能がないことを除いて、物理層506およびL2層508について実質的に同じである。制御プレーンはまた、層3(L3層)中に無線リソース制御(RRC)サブレイヤ516を含む。RRCサブレイヤ516は、無線リソース(すなわち、無線ベアラ)を取得すること、および、eNBとUEとの間のRRCシグナリングを使用して下位層を構成することを担う。
【００２７】
図6は、アクセスネットワーク中でUE650と通信しているeNB610のブロック図である。DLでは、コアネットワークからの上位層パケットが、コントローラ/プロセッサ675に与えられる。コントローラ/プロセッサ675は、L2層の機能を実装する。DLでは、コントローラ/プロセッサ675は、様々な優先度メトリックに基づいて、ヘッダ圧縮と、暗号化と、パケットのセグメント化および再順序付けと、論理チャネルとトランスポートチャネルとの間の多重化と、UE650への無線リソース割振りとを行う。コントローラ/プロセッサ675はまた、HARQ動作と、失われたパケットの再送信と、UE650へのシグナリングとを担う。
【００２８】
送信(TX)プロセッサ616は、L1層(すなわち、物理層)のための様々な信号処理機能を実装する。信号処理機能は、UE650における前方誤り訂正(FEC:forward error correction)と、様々な変調方式(たとえば、2位相シフトキーイング(BPSK:binary phase-shift keying)、4位相シフトキーイング(QPSK:quadrature phase-shift keying)、M位相シフトキーイング(M-PSK:M-phase-shift keying)、M直交振幅変調(M-QAM:M-quadrature amplitude modulation))に基づいた信号コンスタレーションへのマッピングとを可能にするために、コーディングとインターリービングとを含む。次いで、コーディングされ変調されたシンボルは、並列ストリームに分割される。各ストリームは、次いでOFDMサブキャリアにマッピングされ、時間領域および/または周波数領域中で基準信号(たとえば、パイロット)と多重化され、次いで逆高速フーリエ変換(IFFT)を使用して互いに合成されて、時間領域OFDMシンボルストリームを搬送する物理チャネルを生成する。OFDMストリームは、複数の空間ストリームを生成するために空間的にプリコーディングされる。チャネル推定器674からのチャネル推定値は、コーディングおよび変調方式を判断するために、ならびに空間処理のために使用され得る。チャネル推定値は、UE650によって送信される基準信号および/またはチャネル状態フィードバックから導出され得る。次いで、各空間ストリームは、別個の送信機618TXを介して異なるアンテナ620に与えられる。各送信機618TXは、送信のためにそれぞれの空間ストリームでRFキャリアを変調する。
【００２９】
UE650において、各受信機654RXは、そのそれぞれのアンテナ652を通して信号を受信する。各受信機654RXは、RFキャリア上に変調された情報を回復し、情報を受信(RX)プロセッサ656に与える。RXプロセッサ656は、L1層の様々な信号処理機能を実装する。RXプロセッサ656は、情報に対して空間処理を実行して、UE650に向けられたあらゆる空間ストリームを回復する。複数の空間ストリームがUE650に向けられる場合、それらはRXプロセッサ656によって単一のOFDMシンボルストリームに合成され得る。次いで、RXプロセッサ656は、高速フーリエ変換(FFT)を使用して、OFDMシンボルストリームを時間領域から周波数領域に変換する。周波数領域信号は、OFDM信号のサブキャリアごとに別々のOFDMシンボルストリームを備える。各サブキャリア上のシンボルと基準信号とは、eNB610によって送信される、可能性が最も高い信号のコンスタレーションポイントを判断することによって回復され、復調される。これらの軟判定は、チャネル推定器658によって計算されるチャネル推定値に基づき得る。次いで、軟判定は、物理チャネル上でeNB610によって最初に送信されたデータと制御信号とを回復するために復号され、デインターリーブされる。次いで、データおよび制御信号は、コントローラ/プロセッサ659に与えられる。
【００３０】
コントローラ/プロセッサ659は、L2層を実装する。コントローラ/プロセッサは、プログラムコードとデータとを記憶するメモリ660に関連付けられ得る。メモリ660は、コンピュータ可読媒体と呼ばれることもある。ULでは、コントローラ/プロセッサ659は、コアネットワークからの上位層パケットを回復するために、トランスポートチャネルと論理チャネルとの間での多重分離と、パケット再構築と、復号と、ヘッダ復元と、制御信号処理とを行う。次いで、上位層パケットは、L2層の上のすべてのプロトコル層を表すデータシンク662に与えられる。また、様々な制御信号が、L3処理のためにデータシンク662に与えられ得る。コントローラ/プロセッサ659はまた、HARQ動作をサポートするために、肯定応答(ACK)および/または否定応答(NACK)プロトコルを使用した誤り検出を担う。
【００３１】
ULでは、データソース667は、コントローラ/プロセッサ659に上位層パケットを与えるために使用される。データソース667は、L2層の上のすべてのプロトコル層を表す。eNB610によるDL送信に関して説明した機能と同様に、コントローラ/プロセッサ659は、eNB610による無線リソース割振りに基づいて、ヘッダ圧縮と、暗号化と、パケットのセグメント化および再順序付けと、論理チャネルとトランスポートチャネルとの間の多重化とを行うことによって、ユーザプレーンおよび制御プレーンのためのL2層を実装する。コントローラ/プロセッサ659はまた、HARQ動作と、失われたパケットの再送信と、eNB610へのシグナリングとを担う。
【００３２】
eNB610によって送信される基準信号またはフィードバックからの、チャネル推定器658によって導出されるチャネル推定値は、適切なコーディングおよび変調方式を選択すること、ならびに空間処理を可能にすることを行うために、TXプロセッサ668によって使用され得る。TXプロセッサ668によって生成される空間ストリームは、別個の送信機654TXを介して異なるアンテナ652に与えられる。各送信機654TXは、送信のためにそれぞれの空間ストリームでRFキャリアを変調する。
【００３３】
UL送信は、UE650における受信機能に関して説明した方法と同様の方法で、eNB610において処理される。各受信機618RXは、そのそれぞれのアンテナ620を通して信号を受信する。各受信機618RXは、RFキャリア上に変調された情報を回復し、情報をRXプロセッサ670に与える。RXプロセッサ670は、L1層を実装し得る。
【００３４】
コントローラ/プロセッサ675は、L2層を実装する。コントローラ/プロセッサ675は、プログラムコードとデータとを記憶するメモリ676に関連付けられ得る。メモリ676は、コンピュータ可読媒体と呼ばれることもある。ULでは、コントローラ/プロセッサ675は、UE650からの上位層パケットを回復するために、トランスポートチャネルと論理チャネルとの間での多重分離と、パケット再構築と、復号と、ヘッダ復元と、制御信号処理とを行う。コントローラ/プロセッサ675からの上位層パケットは、コアネットワークに与えられ得る。コントローラ/プロセッサ675はまた、HARQ動作をサポートするために、ACKおよび/またはNACKプロトコルを使用した誤り検出を担う。
【００３５】
図7は、異種ネットワークにおける範囲拡大セルラー領域を示す図700である。RRH710bなど、より低い電力クラスのeNBは、RRH710bとマクロeNB710aとの間の拡張セル間干渉協調を通して、かつUE720によって実行される干渉消去を通してセルラー領域702から拡大される、範囲拡大セルラー領域703を有し得る。拡張セル間干渉協調では、RRH710bが、UE720の干渉状態に関する情報をマクロeNB710aから受信する。この情報により、RRH710bが範囲拡大セルラー領域703中でUE720にサービスすること、および、UE720が範囲拡大セルラー領域703に入るとき、マクロeNB710aからのUE720のハンドオフを受け入れることが可能となる。
【００３６】
図8は、例示的なデバイス間(D2D)通信システムの図800である。デバイス間通信システム800は、複数のワイヤレスデバイス806、808、810、812を含む。デバイス間通信システム800は、たとえば、ワイヤレスワイドエリアネットワーク(WWAN)など、セルラー通信システムと重なり得る。ワイヤレスデバイス806、808、810、812の中には、デバイス間通信で互いに通信することができるものもあり、基地局804と通信することができるものもあり、両方とも行えるものもある。たとえば、図8に示すように、ワイヤレスデバイス806、808は、デバイス間通信中であり、ワイヤレスデバイス810、812は、デバイス間通信中である。ワイヤレスデバイス812は、基地局804とも通信中である。
【００３７】
ワイヤレスデバイスは、代わりに、当業者によって、ユーザ機器(UE)、移動局、加入者局、モバイルユニット、加入者ユニット、ワイヤレスユニット、ワイヤレスノード、リモートユニット、モバイルデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語で呼ばれることもある。基地局は、代わりに、当業者によって、アクセスポイント、トランシーバ基地局、無線基地局、無線トランシーバ、トランシーバ機能、基本サービスセット(BSS)、拡張サービスセット(ESS)、ノードB、発展型ノードB、または何らかの他の好適な用語で呼ばれることもある。
【００３８】
以下で説明する例示的な方法および装置は、たとえば、FlashLinQ、WiMedia、Bluetooth(登録商標)、ZigBee、またはIEEE802.11規格に基づくWi-Fiに基づくワイヤレスデバイス間通信システムなど、様々なワイヤレスデバイス間通信システムのうちの任意のものに適用可能である。例示的な方法および装置は、より一般的には、様々な他のワイヤレスデバイス間通信システムに適用可能であることを、当業者であれば理解されよう。
【００３９】
LTE通信システムは、リレー局を利用して、UEと基地局との間の通信を円滑にすることができる。現在のリレー局は、基地局に類似しており、本質的に、UE-基地局リンクを2つのリンク、すなわち、1)アクセスリンクと、2)バックホールリンクとに分離する。アクセスリンクとは、エッジUEとリレー局との間のリンクを指す。バックホールリンクとは、リレー局と基地局との間のリンクを指す。リレー局が理想的な位置に合理的に配置されている場合、バックホールリンク上のシグナリングは、基地局とエッジUEとの間の実際の直接リンク上のシグナリングよりもはるかに強い可能性がある。したがって、システムスループットは改善される。一態様では、D2D技術は、LTE通信システムにおいて中継するためにD2D技術を利用することができる。これは、UEをリレー局として使用することと、リレーUEとエッジUEとの間で新しいリレーアーキテクチャを実装することとを含み得る。
【００４０】
図9は、通信システムにおける例示的な中継を示す図900である。eNB902とリレーUE904との間の通信リンクは、バックホールリンクと呼ばれる場合がある。リレーUE904とエッジUE906との間の通信リンクは、アクセスリンクと呼ばれる場合がある。本開示では、エッジUEは、セルのエッジにおけるUEを指す場合がある。しかしながら、エッジUEは、リレーUE以外の任意のUEを指す場合もある。
【００４１】
一態様では、LTE通信システムにおけるバンド内中継のためのアーキテクチャが提供される。バンド内中継の場合、リレーUE904とエッジUE906との間のアクセスリンクは、アップリンクスペクトル(アップリンクリソース)を使用して、アップリンク方向またはダウンリンク方向のいずれかでトラフィックを搬送することができる。さらに、LTEで定義されているバンド内中継の場合、アクセスリンクは、従来のLTEリンクと同じであり得る。これは、レガシーUEがリレー局に接続できることを確実にする。しかしながら、干渉管理技法は、リレー局の現在の高密度なアドホックデバイス間(D2D)展開には適していない。したがって、リレー局としてUEを使用することによって誘導される中継のためのアーキテクチャが提供される。このアーキテクチャは、プロトコルを設計するため、およびアクセスリンクとバックホールリンクとの間の干渉管理のためにクリーンスレートアプローチ(clean-slate approach)を提供する。
【００４２】
このアーキテクチャは、周波数分割複信(FDD)システムに関連して提供される。上述のように、アクセスリンクは、アップリンクリソースを使用して、アップリンク方向またはダウンリンク方向のいずれかでトラフィックを搬送することができる。リレーUE904とeNB902との間のバックホールリンクは、依然として、従来のLTEリンクであり得る。
【００４３】
本開示のアーキテクチャは、レガシーアーキテクチャに関して様々な利点を有する。たとえば、リレー局は、一般に、セルエッジにおいて使用される。したがって、リレー局がアップリンクスペクトルを使用する場合、リレー局はeNBから遠く離れているため、バックホールリンクとのリレー局の干渉は、当然、管理されるという利点が実現される。別の例では、セルラーシステムのダウンリンクスペクトルは、一般に、アップリンクスペクトルよりも過密である。したがって、ダウンリンクトラフィックをリレーリンク上でアップリンクスペクトルに移動させることによって、システム性能全体が改善される。さらなる例では、リレー局は、ダウンリンクトラフィック用のバックホールリンクおよびアクセスリンクに関する全二重様式で動作し得る。したがって、リレー局は、ダウンリンクデータを、ダウンリンクスペクトル上でバックホールリンクを介して有利に受信すると同時に、アップリンクスペクトル上でアクセスリンクを介して送信することができる。
【００４４】
一態様では、リレープロトコルは2つのステップ、すなわち、1)リレー局の選択と、2)中継とを必要とし得る。リレー局の選択の間、エッジUEは、ダウンリンクバックホール率を最大化するために、リレーUEによって観測された高ダウンリンク信号対干渉雑音比(SINR)と、満足の行くアクセスリンク率を確実にするために、エッジUEとリレーUEとの間の低アップリンク干渉とに基づいてリレーUEを選択することができる。
【００４５】
中継の間、ダウンリンク中継に関して、リレー局は、ダウンリンクスペクトル上でeNBからダウンリンクデータを受信して、アップリンクスペクトルを使用して、そのダウンリンクデータをエッジUEに中継することができる。アップリンク中継に関して、リレー局は、アップリンクスペクトルを使用して、エッジUEからアップリンクデータを受信して、アップリンクスペクトルを使用して、そのアップリンクデータをeNBに中継することができる。
【００４６】
図10は、ワイヤレス通信の方法のフローチャート1000である。方法は、リレーUEなどのリレー局によって実行され得る。ステップ1002で、リレー局は、リレー局によって観測されたダウンリンク信号対干渉雑音比(SINR)および/またはリレー局におけるアップリンク干渉を判断する。ステップ1004で、リレー局はリレー局利用可能性をブロードキャストする。リレー局利用可能性は、リレー局が通信のために利用可能であることを示し、リレー局によって観測されたダウンリンクSINRが第1のしきい値よりも大きい、および/またはリレー局におけるアップリンク干渉が第2のしきい値よりも小さいという判断に基づく。
【００４７】
ステップ1006で、リレー局は、ダウンリンクリソースを介して基地局からダウンリンクデータを受信する。その後、ステップ1008で、リレー局は、アップリンクリソースを介してリレー局からUEにダウンリンクデータを送信する。
【００４８】
ステップ1010で、リレー局は、アップリンクリンクリソースを介してUEからアップリンクデータを受信する。ステップ1012で、リレー局は、アップリンクリソースを介してリレー局から基地局にアップリンクデータを送信する。
【００４９】
図11は、ワイヤレス通信の方法のフローチャート1100である。この方法は、UEによって実行され得る。ステップ1102で、UEは、リレー局によって観測された少なくとも1つのダウンリンクSINRの表示を受信する。ステップ1104で、UEは、リレー局によって観測された少なくとも1つのダウンリンクSINRを判断する。その後、ステップ1106で、UEは、リレー局によって観測されたダウンリンクSINRとUEによって観測されたダウンリンクSINRの比率に基づいて、通信用のリレー局を選択する。
【００５０】
代替として、ステップ1112で、UEは、リレー局によって観測されたアップリンク干渉の表示を受信する。ステップ1114で、UEは、受信した表示に基づいて、UEとリレー局との間の経路損失を判断する。その後、ステップ1116で、UEは、UEによって観測されたアップリンク干渉を判断する。ステップ1118で、UEは、経路損失とリレー局によって観測されたアップリンク干渉とに基づいて、アクセスリンクアップリンクレートを判断することができる。UEは、経路損失とUEによって観測されたアップリンク干渉とに基づいて、アクセスリンクダウンリンクレートを判断することもできる。アクセスリンクアップリンクレートは、経路損失とリレー局によって観測されたアップリンク干渉の積に基づいて判断され得る。アクセスリンクダウンリンクレートは、経路損失とUEによって観測されたアップリンク干渉の積に基づいて判断され得る。
【００５１】
ステップ1120で、UEは、アクセスリンクアップリンクレートまたはアクセスリンクダウンリンクレートのうちの少なくとも1つに基づいて、通信用のリレー局を選択する。一態様では、リレー局は、アクセスリンクアップリンクレートが第1のしきい値よりも大きいこと、またはアクセスリンクダウンリンクレートが第2のしきい値よりも大きいことのうちの少なくとも1つを満たすときにだけ選択される。
【００５２】
ステップ1106または1118の後、ステップ1108で、UEは、アップリンクリソースを介してリレー局からダウンリンクデータを受信する。ステップ1110で、UEはアップリンクリソースを介してアップリンクデータをリレー局に送信する。
【００５３】
図12は、例示的な装置1202における異なるモジュール/手段/構成要素間のデータフローを示す概念的なデータフロー図1200である。装置は、リレーUEなどのリレー局であり得る。装置は、受信モジュール1204と、信号対干渉雑音比(SINR)判断モジュール1206と、干渉判断モジュール1208と、リレー局利用可能性判断モジュール1210と、データ処理モジュール1212と、送信モジュール1214とを含む。
【００５４】
SINR判断モジュール1210は、装置によって観測されたダウンリンクSINRを判断することができる。干渉判断モジュール1208は、装置においてアップリンク干渉を判断することができる。送信モジュール1214は、リレー局利用可能性をeNB1250またはUE1260にブロードキャストすることができる。リレー局利用可能性は、装置が通信のために利用可能であることを示し、装置によって観測されたダウンリンクSINRが第1のしきい値よりも大きい、および/または装置におけるアップリンク干渉が第2のしきい値よりも小さいという、リレー局利用可能性判断モジュール1210による判断に基づく。
【００５５】
データ処理モジュール1212は、ダウンリンクリソースを介して、eNB1250から受信モジュール1204を通じてダウンリンクデータを受信することができる。その後、データ処理モジュール1212は、アップリンクリソースを介して、送信モジュール1214を通じてダウンリンクデータをUE1260に送信することができる。データ処理モジュール1212は、アップリンクリソースを介して、UE1260から受信モジュール1204を通じてアップリンクデータを受信することもできる。したがって、データ処理モジュール1212は、アップリンクリソースを介して、送信モジュール1214を通じてアップリンクデータをeNB1250に送信することができる。
【００５６】
図13は、例示的な装置1302における異なるモジュール/手段/構成要素間のデータフローを示す概念データフロー図1300である。装置は、UEであり得る。装置は、受信モジュール1304と、SINR判断モジュール1306と、リレー局選択モジュール1308と、経路損失判断モジュール1310と、干渉判断モジュール1312と、データ処理モジュール1314と、送信モジュール1316とを含む。
【００５７】
受信モジュール1304は、リレー局1360によって観測された少なくとも1つのダウンリンクSINRの表示を受信する。SINR判断モジュール1306は、装置によって観測された少なくとも1つのダウンリンクSINRを判断する。その後、リレー局選択モジュール1308は、リレー局1360によって観測されたダウンリンクSINRと装置によって観測されたダウンリンクSINRの比率に基づいて、通信用のリレー局1360を選択する。
【００５８】
代替として、受信モジュール1304は、リレー局1360によって観測されたアップリンク干渉の表示を受信する。経路損失判断モジュール1310は、受信した表示に基づいて、装置とリレー局1360との間の経路損失を判断する。その後、干渉判断モジュール1312は、装置によって観測されたアップリンク干渉を判断する。リレー局選択モジュール1308は、経路損失とリレー局1360によって観測されたアップリンク干渉とに基づいて、アクセスリンクアップリンクレートを判断することができる。リレー局選択モジュール1308は、経路損失と装置によって観測されたアップリンク干渉とに基づいて、アクセスリンクダウンリンクレートを判断することもできる。アクセスリンクアップリンクレートは、経路損失とリレー局1360によって観測されたアップリンク干渉の積に基づいて判断され得る。アクセスリンクダウンリンクレートは、経路損失と装置によって観測されたアップリンク干渉の積に基づいて判断され得る。
【００５９】
リレー局選択モジュール1308は、アクセスリンクアップリンクレートまたはアクセスリンクダウンリンクレートのうちの少なくとも1つに基づいて、通信用のリレー局1360を選択する。一態様では、リレー局1360は、アクセスリンクアップリンクレートが第1のしきい値よりも大きいこと、またはアクセスリンクダウンリンクレートが第2のしきい値よりも大きいことのうちの少なくとも1つを満たすときにだけ選択される。
【００６０】
その後、データ処理モジュール1314は、アップリンクリソースを介して、リレー局1360から受信モジュール1304を通じてダウンリンクデータを受信する。データ処理モジュールはまた、アップリンクリソースを介して、送信モジュール1316を通じてアップリンクデータをリレー局1360に送信する。
【００６１】
装置は、図10〜図11の上記のフローチャートにおけるアルゴリズムのステップの各々を実行する、追加のモジュールを含み得る。したがって、図10〜図11の上記のフローチャートにおける各ステップは、モジュールによって実行することができ、装置は、それらのモジュールのうちの1つまたは複数を含み得る。それらのモジュールは、プロセッサによる実装のためにコンピュータ可読媒体内に記憶された、上述のプロセス/アルゴリズムを実行するように構成されたプロセッサによって実装された、上述のプロセス/アルゴリズムを実行するように特に構成された、1つまたは複数のハードウェア構成要素、またはそれらの何らかの組合せであり得る。
【００６２】
図14は、処理システム1414を採用する装置1202'のためのハードウェア実装の一例を示す図1400である。処理システム1414は、バス1424によって概略的に表されるバスアーキテクチャで実装され得る。バス1424は、処理システム1414の特定の適用例および全体的な設計制約に応じて、任意の数の相互接続するバスおよびブリッジを含み得る。バス1424は、プロセッサ1404によって表される1つまたは複数のプロセッサおよび/またはハードウェアモジュール、モジュール1204、1206、1208、1210、1212、1214ならびにコンピュータ可読媒体1406を含む、様々な回路を互いにリンクさせる。バス1424は、タイミングソース、周辺機器、電圧調整器、および電力管理回路など、様々な他の回路をリンクさせることもでき、これらの回路は当技術分野でよく知られており、したがって、これ以上は説明しない。
【００６３】
処理システム1414は、トランシーバ1410に結合され得る。トランシーバ1410は、1つまたは複数のアンテナ1420に結合される。トランシーバ1410は、送信媒体上の様々な他の装置と通信するための手段を提供する。処理システム1414は、コンピュータ可読媒体1406に結合されたプロセッサ1404を含む。プロセッサ1404は、コンピュータ可読媒体1406上に記憶されたソフトウェアの実行を含む、全般的な処理を担う。ソフトウェアは、プロセッサ1404によって実行されると、任意の特定の装置の上記で説明した様々な機能を処理システム1414に実行させる。コンピュータ可読媒体1406は、ソフトウェアを実行するときにプロセッサ1404によって操作されるデータを記憶するために使用されてもよい。処理システムは、モジュール1204、1206、1208、1210、1212、および1214のうちの少なくとも1つをさらに含む。モジュールは、コンピュータ可読媒体1406に常駐する/記憶される、プロセッサ1404で動作しているソフトウェアモジュール、プロセッサ1404に結合された1つもしくは複数のハードウェアモジュール、またはそれらの何らかの組合せとすることができる。処理システム1414は、UE650の構成要素であり得、メモリ660、ならびに/または、TXプロセッサ668、RXプロセッサ656、およびコントローラ/プロセッサ659のうちの少なくとも1つを含み得る。
【００６４】
一構成では、ワイヤレス通信のための装置1202/1202'は、リレー局において、ダウンリンクリソースを介して基地局からダウンリンクデータを受信するための手段と、アップリンクリソースを介して、リレー局からユーザ機器(UE)にダウンリンクデータを送信するための手段と、リレー局において、アップリンクリソースを介してUEからアップリンクデータを受信するための手段と、アップリンクリソースを介してリレー局から基地局にアップリンクデータを送信するための手段と、リレー局によって観測されたダウンリンク信号対干渉雑音比(SINR)またはリレー局におけるアップリンク干渉のうちの少なくとも1つを判断するための手段と、リレー局によって観測されたダウンリンクSINRが第1のしきい値よりも大きいこと、またはリレー局におけるアップリンク干渉が第2のしきい値よりも小さいことのうちの少なくとも1つの判断に基づいて、リレー局利用可能性をブロードキャストするための手段とを含む。
【００６５】
上記の手段は、上記の手段によって記載された機能を実行するように構成された、装置1202、および/または装置1202'の処理システム1414の、上記のモジュールのうちの1つまたは複数であり得る。上記で説明したように、処理システム1414は、TXプロセッサ668と、RXプロセッサ656と、コントローラ/プロセッサ659とを含み得る。したがって、一構成では、上記の手段は、上記の手段によって記載された機能を実行するように構成された、TXプロセッサ668と、RXプロセッサ656と、コントローラ/プロセッサ659とであり得る。
【００６６】
図15は、処理システム1514を採用する装置1302'のためのハードウェア実装の一例を示す図1500である。処理システム1514は、バス1524によって概略的に表されるバスアーキテクチャで実装され得る。バス1524は、処理システム1514の特定の適用例および全体的な設計制約に応じて、任意の数の相互接続するバスおよびブリッジを含み得る。バス1524は、プロセッサ1504によって表される1つもしくは複数のプロセッサおよび/またはハードウェアモジュール、モジュール1304、1306、1308、1310、1312、1314、1316、ならびにコンピュータ可読媒体1506を含む、様々な回路を互いにリンクさせる。バス1524は、タイミングソース、周辺機器、電圧調整器、および電力管理回路などの様々な他の回路をリンクさせることもでき、これらの回路は当技術分野でよく知られており、したがってこれ以上は説明しない。
【００６７】
処理システム1514は、トランシーバ1510に結合され得る。トランシーバ1510は、1つまたは複数のアンテナ1520に結合される。トランシーバ1510は、送信媒体上の様々な他の装置と通信するための手段を提供する。処理システム1514は、コンピュータ可読媒体1506に結合されたプロセッサ1504を含む。プロセッサ1504は、コンピュータ可読媒体1506上に記憶されたソフトウェアの実行を含む全般的な処理を担う。ソフトウェアは、プロセッサ1504によって実行されると、任意の特定の装置に対して上で説明された様々な機能を処理システム1514に実行させる。コンピュータ可読媒体1506は、ソフトウェアを実行するときにプロセッサ1504によって操作されるデータを記憶するために使用されてもよい。処理システムは、モジュール1304、1306、1308、1310、1312、1314、および1316のうちの少なくとも1つをさらに含む。モジュールは、コンピュータ可読媒体1506の中に存在する/記憶される、プロセッサ1504で実行されるソフトウェアモジュール、プロセッサ1504に結合された1つもしくは複数のハードウェアモジュール、またはそれらの何らかの組合せであってよい。処理システム1514は、UE650の構成要素であり得、メモリ660、ならびに/または、TXプロセッサ668、RXプロセッサ656、およびコントローラ/プロセッサ659のうちの少なくとも1つを含み得る。
【００６８】
一構成では、ワイヤレス通信のための装置1302/1302'は、ユーザ機器(UE)において、アップリンクリソースを介してリレー局からダウンリンクデータを受信するための手段と、アップリンクリソースを介して、アップリンクデータをリレー局に送信するための手段と、リレー局によって観測された少なくとも1つのダウンリンク信号対干渉雑音比(SINR)の表示を受信するための手段と、UEによって観測された少なくとも1つのダウンリンクSINRを判断するための手段と、リレー局によって観測されたダウンリンクSINRとUEによって観測されたダウンリンクSINRの比率に基づいて、通信用のリレー局を選択するための手段と、リレー局によって観測されたアップリンク干渉の表示を受信するための手段と、受信した表示に基づいて、UEとリレー局との間の経路損失を判断するための手段と、UEによって観測されたアップリンク干渉を判断するための手段と、経路損失とリレー局によって観測されたアップリンク干渉の第1の積、または経路損失とUEによって観測されたアップリンク干渉の第2の積のうちの少なくとも1つに基づいて、通信用のリレー局を選択するための手段とを含む。
【００６９】
上記の手段は、装置1302の上記のモジュールおよび/または上記の手段によって記載された機能を実行するように構成された装置1302'の処理システム1514のうちの1つまたは複数であってよい。上記で説明したように、処理システム1514は、TXプロセッサ668、RXプロセッサ656、およびコントローラ/プロセッサ659を含み得る。したがって、一構成では、上記の手段は、上記の手段によって記載された機能を実行するように構成された、TXプロセッサ668、RXプロセッサ656、およびコントローラ/プロセッサ659であり得る。
【００７０】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップは組み合わせられてもよく、または省略されてもよい。添付の方法クレームは、様々なステップの要素を例示的な順序で提示したものであり、提示された特定の順序または階層に限定されるものではない。
【００７１】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。当業者に知られている、または後で知られることになる本開示全体にわたって説明する様々な態様の要素に対するすべての構造的および機能的均等物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【００７２】
100  LTEネットワークアーキテクチャ、発展型パケットシステム(EPS)
102、206、650、720  ユーザ機器(UE)
104  発展型UMTS地上波無線アクセスネットワーク(E-UTRAN)
106、610  進化型ノードB(eNB)
108  他のeNB
110  発展型パケットコア(EPC)
112  モビリティ管理エンティティ(MME)
114  他のMME
116  サービングゲートウェイ
118  パケットデータネットワーク(PDN)ゲートウェイ
120  ホーム加入者サーバ(HSS)
122  事業者のIPサービス
200  アクセスネットワーク
202、210  セルラー領域(セル)
204  マクロeNB、eNB
208  より低い電力クラスのeNB
302  R、セル固有RS(CRS)
304  R、UE固有RS(UE-RS)
410a、410b  制御セクション中のリソースブロック
420a、420b  データセクション中のリソースブロック
430  物理ランダムアクセスチャネル(PRACH)
506  物理層
508  層2(L2層)
510  媒体アクセス制御(MAC)サブレイヤ
512  無線リンク制御(RLC)サブレイヤ
514  パケットデータコンバージェンスプロトコル(PDCP)サブレイヤ
516  無線リソース制御(RRC)サブレイヤ
616、668  送信(TX)プロセッサ
618TX、654TX  送信機
618RX、654RX  受信機
620、652、2420、2620、2820  アンテナ
656、670  受信(RX)プロセッサ
658、674  チャネル推定器
659、675  コントローラ/プロセッサ
660、676  メモリ
662  データシンク
667  データソース
702  セルラー領域
703  範囲拡大セルラー領域
710a  マクロeNB
710b  RRH
804  基地局
806、808、810、812  ワイヤレスデバイス
902  eNB
904  リレーUE
906  エッジUE
1202、1202'  装置
1204  受信モジュール
1206  信号対干渉雑音比(SINR)判断モジュール
1208  干渉判断モジュール
1210  リレー局利用可能性判断モジュール
1212  データ処理モジュール
1214  送信モジュール
1250  eNB
1260  UE
1302、1302'  装置
1304  受信モジュール
1306  SINR判断モジュール
1308  リレー局選択モジュール
1310  経路損失判断モジュール
1312  干渉判断モジュール
1314  データ処理モジュール
1316  送信モジュール
1360  リレー局
1404  プロセッサ
1406  コンピュータ可読媒体
1410  トランシーバ
1414  処理システム
1420  アンテナ
1424  バス
1504  プロセッサ
1506  コンピュータ可読媒体
1510  トランシーバ
1514  処理システム
1520  アンテナ
1524  バス
【図１】
2016500225.tif 000003
【図２】
2016500225.tif 000004
【図３】
2016500225.tif 000005
【図４】
2016500225.tif 000006
【図５】
2016500225.tif 000007
【図６】
2016500225.tif 000008
【図７】
2016500225.tif 000009
【図８】
2016500225.tif 000010
【図９】
2016500225.tif 000011
【図１０】
2016500225.tif 000012
【図１１】
2016500225.tif 000013
【図１２】
2016500225.tif 000014
【図１３】
2016500225.tif 000015
【図１４】
2016500225.tif 000016
【図１５】
2016500225.tif 000017
【手続補正書】
【提出日】平成26年8月19日(2014.8.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
リレー局において、ダウンリンクリソースを介して基地局からダウンリンクデータを受信するステップと、
アップリンクリソースを介して前記リレー局からユーザ機器(UE)に前記ダウンリンクデータを送信するステップと、
前記リレー局によって観測されたダウンリンク信号対干渉雑音比(SINR)または前記リレー局におけるアップリンク干渉のうちの少なくとも1つを判断するステップと、
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストするステップと
を含む方法。
【請求項２】
前記リレー局において、前記アップリンクリソースを介して前記UEからアップリンクデータを受信するステップと、
前記アップリンクリソースを介して前記リレー局から前記基地局に前記アップリンクデータを送信するステップと
をさらに含む、請求項1に記載の方法。
【請求項３】
ワイヤレス通信の方法であって、
ユーザ機器(UE)において、アップリンクリソースを介してリレー局からダウンリンクデータを受信するステップと、
前記アップリンクリソースを介してアップリンクデータを前記リレー局に送信するステップと、
前記リレー局によって観測されたアップリンク干渉の表示を受信するステップと、
前記受信した表示に基づいて、前記UEと前記リレー局との間の経路損失を判断するステップと、
前記UEによって観測されたアップリンク干渉を判断するステップと、
前記経路損失と前記リレー局によって観測された前記アップリンク干渉とに基づいて、アクセスリンクアップリンクレートを判断するステップと、
前記経路損失と前記UEによって観測された前記アップリンク干渉とに基づいて、アクセスリンクダウンリンクレートを判断するステップと、
前記アクセスリンクアップリンクレートまたは前記アクセスリンクダウンリンクレートのうちの少なくとも1つに基づいて、通信用の前記リレー局を選択するステップと
を含む方法。
【請求項４】
前記リレー局によって観測された少なくとも1つのダウンリンク信号対干渉雑音比(SINR)の表示を受信するステップと、
前記UEによって観測された少なくとも1つのダウンリンクSINRを判断するステップと、
前記リレー局によって観測された前記ダウンリンクSINRと前記UEによって観測された前記ダウンリンクSINRの比率に基づいて、通信用の前記リレー局を選択するステップと
をさらに含む、請求項3に記載の方法。
【請求項５】
前記アクセスリンクアップリンクレートが、前記経路損失と前記リレー局によって観測された前記アップリンク干渉の積に基づいて判断される、請求項3に記載の方法。
【請求項６】
前記アクセスリンクダウンリンクレートが、前記経路損失と前記UEによって観測された前記アップリンク干渉の積に基づいて判断される、請求項3に記載の方法。
【請求項７】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項3に記載の方法。
【請求項８】
ワイヤレス通信のための装置であって、
リレー局において、ダウンリンクリソースを介して基地局からダウンリンクデータを受信するための手段と、
アップリンクリソースを介して前記リレー局からユーザ機器(UE)に前記ダウンリンクデータを送信するための手段と、
前記リレー局によって観測されたダウンリンク信号対干渉雑音比(SINR)または前記リレー局におけるアップリンク干渉のうちの少なくとも1つを判断するための手段と、
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストするための手段と
を備える装置。
【請求項９】
前記リレー局において、前記アップリンクリソースを介して前記UEからアップリンクデータを受信するための手段と、
前記アップリンクリソースを介して前記リレー局から前記基地局に前記アップリンクデータを送信するための手段と
をさらに備える、請求項8に記載の装置。
【請求項１０】
ワイヤレス通信のための装置であって、
ユーザ機器(UE)において、アップリンクリソースを介してリレー局からダウンリンクデータを受信するための手段と、
前記アップリンクリソースを介してアップリンクデータを前記リレー局に送信するための手段と、
前記リレー局によって観測されたアップリンク干渉の表示を受信するための手段と、
前記受信した表示に基づいて、前記UEと前記リレー局との間の経路損失を判断するための手段と、
前記UEによって観測されたアップリンク干渉を判断するための手段と、
前記経路損失と前記リレー局によって観測された前記アップリンク干渉とに基づいて、アクセスリンクアップリンクレートを判断するための手段と、
前記経路損失と前記UEによって観測された前記アップリンク干渉とに基づいて、アクセスリンクダウンリンクレートを判断するための手段と、
前記アクセスリンクアップリンクレートまたは前記アクセスリンクダウンリンクレートのうちの少なくとも1つに基づいて、通信用の前記リレー局を選択するための手段と
を備える装置。
【請求項１１】
前記リレー局によって観測された少なくとも1つのダウンリンク信号対干渉雑音比(SINR)の表示を受信するための手段と、
前記UEによって観測された少なくとも1つのダウンリンクSINRを判断するための手段と、
前記リレー局によって観測された前記ダウンリンクSINRと前記UEによって観測された前記ダウンリンクSINRの比率に基づいて、通信用の前記リレー局を選択するための手段と
をさらに備える、請求項10に記載の装置。
【請求項１２】
前記アクセスリンクアップリンクレートが、前記経路損失と前記リレー局によって観測された前記アップリンク干渉の積に基づいて判断される、請求項10に記載の装置。
【請求項１３】
前記アクセスリンクダウンリンクレートが、前記経路損失と前記UEによって観測された前記アップリンク干渉の積に基づいて判断される、請求項10に記載の装置。
【請求項１４】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項10に記載の装置。
【請求項１５】
ワイヤレス通信のための装置であって、
処理システムを備え、前記処理システムが、
リレー局において、ダウンリンクリソースを介して基地局からダウンリンクデータを受信すること、
アップリンクリソースを介して前記リレー局からユーザ機器(UE)に前記ダウンリンクデータを送信すること、
前記リレー局によって観測されたダウンリンク信号対干渉雑音比(SINR)または前記リレー局におけるアップリンク干渉のうちの少なくとも1つを判断すること、および
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストすること
を行うように構成される、装置。
【請求項１６】
前記処理システムがさらに、
前記リレー局において、前記アップリンクリソースを介して前記UEからアップリンクデータを受信すること、および
前記アップリンクリソースを介して前記リレー局から前記基地局に前記アップリンクデータを送信すること
を行うように構成される、請求項15に記載の装置。
【請求項１７】
ワイヤレス通信のための装置であって、
処理システムを備え、前記処理システムが、
ユーザ機器(UE)において、アップリンクリソースを介してリレー局からダウンリンクデータを受信すること、
前記アップリンクリソースを介してアップリンクデータを前記リレー局に送信すること、
前記リレー局によって観測されたアップリンク干渉の表示を受信すること、
前記受信した表示に基づいて、前記UEと前記リレー局との間の経路損失を判断すること、
前記UEによって観測されたアップリンク干渉を判断すること、
前記経路損失と前記リレー局によって観測された前記アップリンク干渉とに基づいて、アクセスリンクアップリンクレートを判断すること、
前記経路損失と前記UEによって観測された前記アップリンク干渉とに基づいて、アクセスリンクダウンリンクレートを判断すること、および
前記アクセスリンクアップリンクレートまたは前記アクセスリンクダウンリンクレートのうちの少なくとも1つに基づいて、通信用の前記リレー局を選択すること
を行うように構成される、装置。
【請求項１８】
前記処理システムがさらに、
前記リレー局によって観測された少なくとも1つのダウンリンク信号対干渉雑音比(SINR)の表示を受信すること、
前記UEによって観測された少なくとも1つのダウンリンクSINRを判断すること、および
前記リレー局によって観測された前記ダウンリンクSINRと前記UEによって観測された前記ダウンリンクSINRの比率に基づいて、通信用の前記リレー局を選択すること
を行うように構成される、請求項17に記載の装置。
【請求項１９】
前記アクセスリンクアップリンクレートが、前記経路損失と前記リレー局によって観測された前記アップリンク干渉の積に基づいて判断される、請求項17に記載の装置。
【請求項２０】
前記アクセスリンクダウンリンクレートが、前記経路損失と前記UEによって観測された前記アップリンク干渉の積に基づいて判断される、請求項17に記載の装置。
【請求項２１】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項17に記載の装置。
【請求項２２】
リレー局において、ダウンリンクリソースを介して基地局からダウンリンクデータを受信すること、
アップリンクリソースを介して前記リレー局からユーザ機器(UE)に前記ダウンリンクデータを送信すること、
前記リレー局によって観測されたダウンリンク信号対干渉雑音比(SINR)または前記リレー局におけるアップリンク干渉のうちの少なくとも1つを判断すること、および
前記リレー局によって観測された前記ダウンリンク信号対干渉雑音比(SINR)が第1のしきい値よりも大きいこと、または前記リレー局における前記アップリンク干渉が第2のしきい値よりも小さいことのうちの少なくとも1つの判断に基づいて、リレー局利用可能性をブロードキャストすること
を行うためのコードを備える、コンピュータプログラム。
【請求項２３】
前記リレー局において、前記アップリンクリソースを介して前記UEからアップリンクデータを受信すること、および
前記アップリンクリソースを介して前記リレー局から前記基地局に前記アップリンクデータを送信すること
を行うためのコードをさらに備える、請求項22に記載のコンピュータプログラム。
【請求項２４】
ユーザ機器(UE)において、アップリンクリソースを介してリレー局からダウンリンクデータを受信すること、
前記アップリンクリソースを介してアップリンクデータを前記リレー局に送信すること、
前記リレー局によって観測されたアップリンク干渉の表示を受信すること、
前記受信した表示に基づいて、前記UEと前記リレー局との間の経路損失を判断すること、
前記UEによって観測されたアップリンク干渉を判断すること、
前記経路損失と前記リレー局によって観測された前記アップリンク干渉とに基づいて、アクセスリンクアップリンクレートを判断すること、
前記経路損失と前記UEによって観測された前記アップリンク干渉とに基づいて、アクセスリンクダウンリンクレートを判断すること、および
前記アクセスリンクアップリンクレートまたは前記アクセスリンクダウンリンクレートのうちの少なくとも1つに基づいて、通信用の前記リレー局を選択すること
を行うためのコードを備える、コンピュータプログラム。
【請求項２５】
前記リレー局によって観測された少なくとも1つのダウンリンク信号対干渉雑音比(SINR)の表示を受信すること、
前記UEによって観測された少なくとも1つのダウンリンクSINRを判断すること、および
前記リレー局によって観測された前記ダウンリンクSINRと前記UEによって観測された前記ダウンリンクSINRの比率に基づいて、通信用の前記リレー局を選択すること
を行うためのコードをさらに備える、請求項24に記載のコンピュータプログラム。
【請求項２６】
前記アクセスリンクアップリンクレートが、前記経路損失と前記リレー局によって観測された前記アップリンク干渉の積に基づいて判断される、請求項24に記載のコンピュータプログラム。
【請求項２７】
前記アクセスリンクダウンリンクレートが、前記経路損失と前記UEによって観測された前記アップリンク干渉の積に基づいて判断される、請求項24に記載のコンピュータプログラム。
【請求項２８】
前記リレー局が、前記アクセスリンクアップリンクレートが第1のしきい値よりも大きいこと、または前記アクセスリンクダウンリンクレートが第2のしきい値よりも大きいことのうちの少なくとも1つを満たすときにだけ選択される、請求項24に記載のコンピュータプログラム。
【国際調査報告】
2016500225.tif 000018
2016500225.tif 000019
2016500225.tif 000020